(57)【要約】【課題】無線通信システムにおいて、二重接続に対して重複したＥ−ＲＡＢ（Ｅ−ＵＴＲＡＮ  ｒａｄｉｏ  ａｃｃｅｓｓ  ｂｅａｒｅｒ）を取り扱うための方法及び装置が提供される。無線通信システムにおいて、二重接続に対して重複したＥ−ＲＡＢ（Ｅ−ＵＴＲＡＮ  ｒａｄｉｏ  ａｃｃｅｓｓ  ｂｅａｒｅｒ）を取り扱うための方法及び装置が提供される。【解決手段】ＭＭＥ（ｍｏｂｉｌｉｔｙ  ｍａｎａｇｅｍｅｎｔ  ｅｎｔｉｔｙ）は、同じ値に設定されたいくつのＥ−ＲＡＢ  ＩＤ（ｉｄｅｎｔｉｆｉｅｒ）を含むＥ−ＲＡＢ修正指示メッセージを受信し、端末（ＵＥ；ｕｓｅｒ  ｅｑｕｉｐｍｅｎｔ）コンテキスト解除手順を原因値（ｃａｕｓｅ  ｖａｌｕｅ）としてトリガリングする。【選択図】図１４
2017530665.tif 000002
【特許請求の範囲】
【請求項１】
無線通信システムにおいて、ＭＭＥによる、二重接続に対して重複したＥ−ＵＴＲＡＮ  無線アクセスベアラ（Ｅ−ＲＡＢ）を取り扱うための方法であって、
同じ値に設定された幾つかのＥ−ＲＡＢ  ＩＤを含むＥ−ＲＡＢ修正指示メッセージを受信するステップと、
端末（ＵＥ）コンテキスト解除手順を原因値としてトリガリングするステップと、を含む方法。
【請求項２】
前記Ｅ−ＲＡＢ修正指示メッセージは、二重接続でマスターｅＮＢ（ＭｅＮＢ）から受信される、請求項１に記載の方法。
【請求項３】
ＵＥは、前記二重接続で前記ＭｅＮＢ及びセカンダリｅＮＢ（ＳｅＮＢ）の両方に連結される、請求項２に記載の方法。
【請求項４】
前記Ｅ−ＲＡＢ修正指示メッセージは、修正されるＥ−ＲＡＢのリストと修正されないＥ−ＲＡＢのリストとの両方を含む、請求項１に記載の方法。
【請求項５】
前記Ｅ−ＲＡＢ修正指示メッセージは、少なくとも１つのＥ−ＲＡＢの修正を適用するように前記ＭＭＥに要請する、請求項１に記載の方法。
【請求項６】
前記Ｅ−ＲＡＢ修正指示メッセージを受信する際に、前記幾つかのＥ−ＲＡＢ  ＩＤが同じ値に設定されたか否かを識別するステップをさらに含む、請求項１に記載の方法。
【請求項７】
前記ＵＥコンテキスト解除手順を前記原因値としてトリガリングするステップは、前記原因値を含むＵＥコンテキスト解除命令メッセージをＭｅＮＢに送信することを含む、請求項１に記載の方法。
【請求項８】
ＭＭＥ−開始ディタッチ手順をトリガリングするステップをさらに含む、請求項１に記載の方法。
【請求項９】
Ｅ−ＲＡＢ修正失敗メッセージをＭｅＮＢに送信するステップをさらに含む、請求項１に記載の方法。
【請求項１０】
前記Ｅ−ＲＡＢ修正失敗メッセージは、Ｅ−ＲＡＢ修正失敗の理由を含む原因値または情報要素（ＩＥ）を含む、請求項９に記載の方法。
【請求項１１】
前記Ｅ−ＲＡＢ修正失敗メッセージは、ＵＥコンテキストを解除するために、前記ＭｅＮＢに指示される、請求項９に記載の方法。
【請求項１２】
ＭＭＥにおいて、
メモリと、
送受信部と、
前記メモリ及び前記送受信部と結合されるプロセッサと、
を備え、
前記プロセッサは、
同じ値に設定された幾つかのＥ−ＵＴＲＡＮ  無線アクセスベアラ（Ｅ−ＲＡＢ）  ＩＤを含むＥ−ＲＡＢ修正指示メッセージを受信するように前記送受信部を制御し、及び
端末（ＵＥ）コンテキスト解除手順を原因値としてトリガリングするように構成されることを特徴とするＭＭＥ。
【請求項１３】
前記Ｅ−ＲＡＢ修正指示メッセージは、二重接続でマスターｅＮＢ（ＭｅＮＢ）から受信される、請求項１２に記載のＭＭＥ。
【請求項１４】
ＵＥは、前記二重接続で前記ＭｅＮＢ及びセカンダリｅＮＢ（ＳｅＮＢ）の両方に連結される、請求項１３に記載のＭＭＥ。
【請求項１５】
前記Ｅ−ＲＡＢ修正指示メッセージは、修正されるＥ−ＲＡＢのリストと修正されないＥ−ＲＡＢのリストとの両方を含む、請求項１２に記載のＭＭＥ。
【発明の詳細な説明】
【技術分野】
【０００１】
本発明は、無線通信に関し、より詳細には、無線通信システムにおける二重接続に対して重複したＥ−ＲＡＢ（Ｅ−ＵＴＲＡＮ  ｒａｄｉｏ  ａｃｃｅｓｓ  ｂｅａｒｅｒ）報告を取り扱うための方法及び装置に関する。
【背景技術】
【０００２】
３ＧＰＰ ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
低電力ノードは、モバイルトラフィック急増に対処するのに有望なものと考慮される（特に、室内及び室外のホットスポット構築）。低電力ノードは、一般に送信電力がマクロノード及び基地局のような種類の電力より少ないことを意味する。例えば、ピコｅＮＢ（ｅｖｏｌｖｅｄ  ＮｏｄｅＢ）及びフェムトｅＮＢがこれに該当する。Ｅ−ＵＴＲＡ（ｅｖｏｌｖｅｄ  ＵＭＴＳ  ｔｅｒｒｅｓｔｒｉａｌ  ｒａｄｉｏ  ａｃｃｅｓｓ）及びＥ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）のスモールセル向上は、室内及び室外のホットスポット区域で低電力ノードを用いて性能を向上させる追加的な機能性に焦点を置くであろう。
【０００４】
小型セル向上のための可能な解法の一つとして、二重接続が論議されてきた。二重接続は、与えられた端末（ＵＥ；ｕｓｅｒ  ｅｑｕｉｐｍｅｎｔ）が非-理想的バックホール（ｎｏｎ-ｉｄｅａｌ  ｂａｃｋｈａｕｌ）で接続した少なくとも二つの互いに異なるネットワーク地点により提供される無線資源を消費する動作を指すのに使用される。さらに、ＵＥに対して二重接続に関与する各々のｅＮＢは、互いに異なる役割を仮定することができる。このような役割は、ｅＮＢの電力クラスに必ず依存するのではなく、ＵＥに応じて変わることができる。二重接続は、小型セル向上のための可能な解法の一つでありうる。
【０００５】
二重接続のために、ＳｅＮＢ（ｓｅｃｏｎｄａｒｙ  ｅＮＢ）が付加されるか、または修正されることができる。また、Ｅ−ＲＡＢ（Ｅ−ＵＴＲＡＮ  ｒａｄｉｏ  ａｃｃｅｓｓ  ｂｅａｒｅｒ）がＳｅＮＢ付加または修正手順の間に修正される必要がありうる。しかし、一部非正常的な場合がＥ−ＲＡＢ修正指示の間に発生し得るし、非正常的な場合を取り扱うための方法が要求され得る。
【発明の概要】
【発明が解決しようとする課題】
【０００６】
本発明は、無線通信システムにおける二重接続に対して重複したＥ−ＲＡＢ（Ｅ−ＵＴＲＡＮ  ｒａｄｉｏ  ａｃｃｅｓｓ  ｂｅａｒｅｒ）報告を取り扱うための方法及び装置を提供する。本発明は、いくつのＥ−ＲＡＢ  ＩＤ（ｉｄｅｎｔｉｆｉｅｒ）が同じ値に設定された場合、端末（ＵＥ；ｕｓｅｒ  ｅｑｕｉｐｍｅｎｔ）コンテキスト解除手順をトリガリングするための方法及び装置を提供する。
【課題を解決するための手段】
【０００７】
一態様において、ＭＭＥ（ｍｏｂｉｌｉｔｙ  ｍａｎａｇｅｍｅｎｔ  ｅｎｔｉｔｙ）による、二重接続に対して重複したＥ−ＲＡＢ（Ｅ−ＵＴＲＡＮ  ｒａｄｉｏ  ａｃｃｅｓｓ  ｂｅａｒｅｒ）を取り扱うための方法が提供される。上記の方法は、同じ値に設定されたいくつのＥ−ＲＡＢ  ＩＤ（ｉｄｅｎｔｉｆｉｅｒ）を含むＥ−ＲＡＢ修正指示メッセージを受信し、及び端末（ＵＥ；ｕｓｅｒ  ｅｑｕｉｐｍｅｎｔ）コンテキスト解除手順を原因値（ｃａｕｓｅ  ｖａｌｕｅ）としてトリガリングすることを含む。
【０００８】
他の態様において、ＭＭＥ（ｍｏｂｉｌｉｔｙ  ｍａｎａｇｅｍｅｎｔ  ｅｎｔｉｔｙ）は、メモリ、送受信部、及び前記メモリ及び前記送受信部と結合されるプロセッサを備える。前記プロセッサは、同じ値に設定されたいくつのＥ−ＲＡＢ（Ｅ−ＵＴＲＡＮ  ｒａｄｉｏ  ａｃｃｅｓｓ  ｂｅａｒｅｒ）ＩＤ（ｉｄｅｎｔｉｆｉｅｒ）を含むＥ−ＲＡＢ修正指示メッセージを受信するように前記送受信部を制御し、及び端末（ＵＥ；ｕｓｅｒ  ｅｑｕｉｐｍｅｎｔ）コンテキスト解除手順を原因値（ｃａｕｓｅｖａｌｕｅ）としてトリガリングするように構成される。
【発明の効果】
【０００９】
本発明の一実施形態によれば、Ｅ−ＲＡＢ修正指示メッセージでいくつのＥ−ＲＡＢ  ＩＤが同じ値に設定された非正常的な場合が効率的に取り扱われ得る。
【図面の簡単な説明】
【００１０】
【図１】図１は、ＬＴＥシステムの構造を示す。
【図２】図２は、一般的なＥ−ＵＴＲＡＮ及びＥＰＣの構造のブロック図である。
【図３】図３は、ＬＴＥシステムのユーザ平面プロトコルスタックのブロック図である。
【図４】図４は、ＬＴＥシステムの制御平面プロトコルスタックのブロック図である。
【図５】図５は、物理チャンネル構造の一例を示す。
【図６】図６は、二重接続に対する無線プロトコルアーキテクチャを図示する。
【図７】図７は、特定ＵＥに対する二重接続に関与するｅＮＢのＣ−平面連結を図示する。
【図８】図８は、特定ＵＥに対する二重接続に関与するｅＮＢのＵ−平面連結を図示する。
【図９】図９は、二重接続に対するＵ−平面アーキテクチャの例示を図示する。
【図１０】図１０は、二重接続に対するＵ−平面アーキテクチャの他の例示を図示する。
【図１１】図１１は、ＤＣ向上のためのＳｅＮＢ付加手順を示す。
【図１２】図１２は、本発明の一実施形態に係る二重接続に対する重複したＥ−ＲＡＢを取り扱うための方法を示す。
【図１３】図１３は、本発明の一実施形態に係る二重接続に対する重複したＥ−ＲＡＢを取り扱うための方法の他の例示を示す。
【図１４】図１４は、本発明の一実施形態に係る二重接続に対する重複したＥ−ＲＡＢを取り扱うための方法の他の例示を示す。
【図１５】図１５は、本発明の実施形態が実現される無線通信システムを示す。
【発明を実施するための形態】
【００１１】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使用されることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術で具現されることができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で具現されることができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２.２０、Ｅ−ＵＴＲＡ(ｅｖｏｌｖｅｄ ＵＴＲＡ)などのような無線技術で具現されることができる。ＩＥＥＥ８０２.１６ｍは、ＩＥＥＥ８０２.１６ｅの進化であり、ＩＥＥＥ８０２.１６基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
【００１２】
説明を明確にするために、ＬＴＥ−Ａを中心に記述するが、本発明の技術的思想がこれに制限されるものではない。
【００１３】
図１は、ＬＴＥシステムの構造を示す。通信ネットワークは、ＩＭＳ及びパケットデータを介したインターネット電話(Ｖｏｉｃｅ ｏｖｅｒ ｉｎｔｅｒｎｅｔ ｐｒｏｔｏｃｏｌ：ＶｏＩＰ)のような多様な通信サービスを提供するために広く設置される。
【００１４】
図１を参照すると、ＬＴＥシステム構造は、１つ以上の端末(ＵＥ)１０、Ｅ−ＵＴＲＡＮ(ｅｖｏｌｖｅｄ−ＵＭＴＳ ｔｅｒｒｅｓｔｒｉａｌ ｒａｄｉｏ ａｃｃｅｓｓ ｎｅｔｗｏｒｋ)及びＥＰＣ(ｅｖｏｌｖｅｄ ｐａｃｋｅｔ ｃｏｒｅ)を含む。端末１０は、ユーザにより動く通信装置である。端末１０は、固定されてもよいし、移動性を有してもよく、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)等、他の用語で呼ばれることもある。
【００１５】
Ｅ−ＵＴＲＡＮは１つ以上のｅＮＢ（evolved node-B）２０を含み、１つのセルに複数のＵＥが存在することができる。ｅＮＢ２０は制御平面（control plane）とユーザ平面（user plane）の終端点をＵＥに提供する。ｅＮＢ２０は一般的にＵＥ１０と通信する固定された地点（fixed station）をいい、ＢＳ（base station）、アクセスポイント（access point）など、他の用語で呼ばれることがある。１つのｅＮＢ２０はセル毎に配置できる。
【００１６】
以下、ＤＬはｅＮＢ２０からＵＥ１０への通信を意味し、ＵＬはＵＥ１０からｅＮＢ２０への通信を意味する。ＤＬで送信機はｅＮＢ２０の一部であり、受信機はＵＥ１０の一部でありうる。ＵＬで送信機はＵＥ１０の一部であり、受信機はｅＮＢ２０の一部でありうる。
【００１７】
ＥＰＣはＭＭＥ（mobility management entity）とＳ−ＧＷ（system architecture evolution（SAE）gateway）を含む。ＭＭＥ／Ｓ−ＧＷ３０はネットワークの終端に位置し、外部ネットワークと連結できる。明確性のためにＭＭＥ／Ｓ−ＧＷ３０は「ゲートウェイ」と単純に表現し、これはＭＭＥ及びＳ−ＧＷを全て含むことができる。
【００１８】
ＭＭＥはｅＮＢ２０へのＮＡＳ（non-access stratum）シグナリング、ＮＡＳシグナリング保安、ＡＳ（access stratum）保安制御、３ＧＰＰアクセスネットワーク間の移動性のためのｉｎｔｅｒ ＣＮ（core network）ノードシグナリング、アイドルモード端末到達可能性（ページング再送信の制御及び実行含み）、トラッキング領域リスト管理（アイドルモード及び活性化モードであるＵＥのために）、Ｐ−ＧＷ（PDN（packet data network）gateway）及びＳ−ＧＷ選択、ＭＭＥ変更と共にハンドオーバーのためのＭＭＥ選択、２Ｇまたは３Ｇ ３ＧＰＰアクセスネットワークへのハンドオーバーのためのＳＧＳＮ（serving GPRS support node）選択、ローミング、認証、専用ベアラ設定を含んだベアラ管理機能、ＰＷＳ（public warning system：地震／津波警報システム（ＥＴＷＳ）、及び常用モバイル警報システム（ＣＭＡＳ）含み）メッセージ送信サポートなどの多様な機能を提供する。Ｓ−ＧＷホストは、ユーザ別基盤パケットフィルタリング（例えば、深層パケット検査を通じて）、合法的遮断、端末ＩＰ（internet protocol）アドレス割当、ＤＬで送信レベルパッキングマーキング、ＵＬ／ＤＬサービスレベル課金、ゲーティング及び等級強制、ＡＰＮ−ＡＭＢＲ（access point name aggregate maximum bit rate）に基づいたＤＬ等級強制の各種の機能を提供する。
【００１９】
ユーザトラフィック送信または制御トラフィック送信のためのインターフェースが使用できる。ＵＥ１０及びｅＮＢ２０は、Ｕｕインターフェースにより連結される。ｅＮＢ２０はＸ２インターフェースにより相互間連結される。隣り合うｅＮＢ２０はＸ２インターフェースによる網型ネットワーク構造を有することができる。複数のノードはｅＮＢ２０とゲートウェイ３０との間にＳ１インターフェースを介して連結できる。
【００２０】
図２は、一般的なＥ−ＵＴＲＡＮ及びＥＰＣの構造のブロック図である。図２を参照すると、ｅＮＢ２０はゲートウェイ３０に対する選択、ＲＲＣ（radio resource control）活性（activation）の間ゲートウェイ３０へのルーティング（routing）、ページングメッセージのスケジューリング及び送信、ＢＣＨ（broadcast channel）情報のスケジューリング及び送信、ＵＬ及びＤＬからＵＥ１０への資源の動的割当、ｅＮＢ測定の設定（configuration）及び提供（provisioning）、無線ベアラ制御、ＲＡＣ（radio admission control）及びＬＴＥ活性状態で連結移動性制御機能を遂行することができる。前述したように、ゲイウェイ３０はＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００２１】
図３はＬＴＥシステムのユーザ平面プロトコルスタックのブロック図である。図４はＬＴＥシステムの制御平面プロトコルスタックのブロック図である。ＵＥとＥ−ＵＴＲＡＮとの間の無線インターフェースプロトコルの階層は通信システムで広く知られたＯＳＩ（open system interconnection）モデルの下位３個階層に基づいて、Ｌ１（第１階層）、Ｌ２（第２階層）、及びＬ３（第３階層）に区分される。
【００２２】
物理階層（ＰＨＹ；physical layer）はＬ１に属する。物理階層は物理チャンネルを介して上位階層に情報送信サービスを提供する。物理階層は上位階層であるＭＡＣ（media access control）階層と送信チャンネル（transport channel）を介して連結される。物理チャンネルは、送信チャンネルにマッピングされる。送信チャンネルを介してＭＡＣ階層と物理階層との間にデータが送信される。互いに異なる物理階層の間、即ち送信機の物理階層と受信機の物理階層との間にデータは物理チャンネルを介して送信される。
【００２３】
ＭＡＣ階層、ＲＬＣ（radio link control）階層、及びＰＤＣＰ（packet data convergence protocol）階層はＬ２に属する。ＭＡＣ階層は、論理チャンネル（logical channel）を介して上位階層であるＲＬＣ階層にサービスを提供する。ＭＡＣ階層は、論理チャンネル上のデータ送信サービスを提供する。ＲＬＣ階層は、信頼性あるデータ送信をサポートする。一方、ＲＬＣ階層の機能はＭＡＣ階層の内部の機能ブロックで具現されることができ、この際、ＲＬＣ階層は存在しないこともある。ＰＤＣＰ階層は、相対的に帯域幅の小さい無線インターフェース上でＩＰｖ４またはＩＰｖ６のようなＩＰパケットを導入して送信されるデータが効率良く送信されるように不要な制御情報を減らすヘッダー圧縮機能を提供する。
【００２４】
ＲＲＣ（radio resource control）階層は、Ｌ３に属する。Ｌ３の最も下端 部分に位置するＲＲＣ階層はただ制御平面のみで定義される。ＲＲＣ階層は、ＲＢ（radio bearer）などの設定（configuration）、再設定（re-configuration）、及び解除（release）と関連して論理チャンネル、送信チャンネル、及び物理チャンネルなどの制御を担当する。ＲＢは、ＵＥとＥ−ＵＴＲＡＮとの間のデータ送信のためにＬ２により提供されるサービスを意味する。
【００２５】
図３を参照すると、ＲＬＣ及びＭＡＣ階層（ネットワーク側におけるｅＮＢで終了）は、スケジューリング、ＡＲＱ及びＨＡＲＱのような機能を遂行することができる。ＰＤＣＰ階層（ネットワーク側におけるｅＮＢで終了）は、ヘッダー圧縮、無欠性保護、及び暗号化のようなユーザ平面機能を遂行することができる。
【００２６】
図３−（ｂ）を参照すると、ＲＬＣ／ＭＡＣ階層（ネットワーク側におけるｅＮＢで終了）は、制御平面のために同一な機能を遂行することができる。ＲＲＣ階層（ネットワーク側におけるｅＮＢで終了）は、放送、ページング、ＲＲＣ連結管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００２７】
図５は、物理チャンネル構造の一例を示す。物理チャンネルは、無線資源を通じてＵＥの物理階層とｅＮＢの物理階層との間のシグナリング及びデータを送信する。物理チャンネルは、時間領域で複数のサブフレームと周波数領域で複数の副搬送波で構成される。１ｍｓである１つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（physical resource block）及びＭＣＳ（modulation and coding schemes）のように動的に割り当てられた資源を運ぶことができる。
【００２８】
ＤＬ送信チャンネルは、システム情報を送信するために使用されるＢＣＨ（broadcast channel）、ＵＥをページングするために使用されるＰＣＨ（paging channel）、ユーザトラフィックまたは制御信号を送信するために使用されるＤＬ−ＳＣＨ（downlink shared channel）、マルチキャストまたはブロードキャストサービス送信のために使用されるＭＣＨ（multicast channel）などを含む。ＤＬ−ＳＣＨは、ＨＡＲＱ、変調、コーディング及び送信電力の変化による動的リンク適応及び動的／半静的資源割当をサポートする。また、ＤＬ−ＳＣＨはセル全体にブロードキャスト及びビームフォーミングの使用を可能にすることができる。
【００２９】
ＵＬ送信チャンネルは、一般的にセルへの初期接続のために使用されるＲＡＣＨ（random access channel）、ユーザトラフィック、または制御信号を送信するために使用されるＵＬ−ＳＣＨ（uplink shared channel）などを含む。ＵＬ−ＳＣＨは、ＨＡＲＱ及び送信電力及び潜在的な変調及びコーディングの変化による動的リンク適応をサポートする。また、ＵＬ−ＳＣＨはビームフォーミングの使用を可能にすることができる。
【００３０】
論理チャンネルは、送信される情報の種類によって、制御平面の情報伝達のための制御チャンネルとユーザ平面の情報伝達のためのトラフィックチャンネルに分類される。即ち、論理チャンネルタイプの集合はＭＡＣ階層により提供される互いに異なるデータ送信サービスのために定義される。
【００３１】
制御チャンネルは、制御平面の情報伝達のみのために使用される。ＭＡＣ階層により提供される制御チャンネルは、ＢＣＣＨ（broadcast control channel）、ＰＣＣＨ（paging control channel）、ＣＣＣＨ（common control channel）、ＭＣＣＨ（multicast control channel）、及びＤＣＣＨ（dedicated control channel）を含む。ＢＣＣＨは、システム制御情報を放送するためのＤＬチャンネルである。ＰＣＣＨは、ページング情報の送信のためのＤＬチャンネルであり、ネットワークがＵＥのセル単位の位置を知らない時に使用される。ＣＣＣＨは、ネットワークとＲＲＣ連結を有しない時、ＵＥにより使用される。ＭＣＣＨは、ネットワークからＵＥにＭＢＭＳ（multimedia broadcast multicast services）制御情報を送信するために使用される一対多のＤＬチャンネルである。ＤＣＣＨは、ＵＥとネットワークとの間に専用制御情報送信のためにＲＲＣ連結を有するＵＥにより使用される一対一の両方向チャンネルである。
【００３２】
トラフィックチャンネルは、ユーザ平面の情報伝達のみのために使用される。ＭＡＣ階層により提供されるトラフィックチャンネルは、ＤＴＣＨ（dedicated traffic channel）及びＭＴＣＨ（multicast traffic channel）を含む。ＤＴＣＨは一対一のチャンネルであって、１つのＵＥのユーザ情報の送信のために使われて、ＵＬ及びＤＬ全てに存在することができる。ＭＴＣＨは、ネットワークからＵＥにトラフィックデータを送信するための一対多のＤＬチャンネルである。
【００３３】
論理チャンネルと送信チャンネルとの間のＵＬ連結は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャンネルと送信チャンネルとの間のＤＬ連結は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００３４】
ＲＲＣ状態はＵＥのＲＲＣ階層がＥ−ＵＴＲＡＮのＲＲＣ階層と論理的に連結されているか否かを指示する。ＲＲＣ状態は、ＲＲＣ連結状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（discontinuous reception）を指定する間に、ＵＥはシステム情報及びページング情報の放送を受信することができる。そして、ＵＥはトラッキング領域でＵＥを固有に指定するＩＤ（identification）の割当を受けて、ＰＬＭＮ（public land mobile network）選択及びセル再選択を遂行することができる。またＲＲＣ＿ＩＤＬＥで、いかなるＲＲＣコンテキストもｅＮＢに格納されない。
【００３５】
ＲＲＣ＿ＣＯＮＮＥＣＴＥＤで、ＵＥはＥ−ＵＴＲＡＮでＥ−ＵＴＲＡＮ ＲＲＣ連結及びコンテキストを有して、ｅＮＢにデータを送信及び／又はｅＮＢからデータを受信することが可能である。また、ＵＥはｅＮＢにチャンネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを送信及び／又はＵＥからデータを受信することができ、ネットワークはＵＥの移動性（ハンドオーバー及びＮＡＣＣ（network assisted cell change）を通じてのＧＥＲＡＮ（GSM EDGE radio access network）でｉｎｔｅｒ−ＲＡＴ（radio access technology）セル変更指示）を制御することができ、ネットワークは隣り合うセルのためにセル測定を遂行することができる。
【００３６】
ＲＲＣ＿ＩＤＬＥで、ＵＥはページングＤＲＸ周期を指定する。具体的に、ＵＥはＵＥ特定ページングＤＲＸ周期毎の特定ページング機会（paging occasion）にページング信号をモニターする。ページング機会は、ページング信号が送信される間の時間区間である。ＵＥは、自分だけのページング機会を有している。ページングメッセージは、同一なトラッキング領域（ＴＡ；tracking area）に属する全てのセル上に送信される。ＵＥが１つのＴＡから他のＴＡに移動すれば、ＵＥは自身の位置をアップデートするためにネットワークにＴＡＵ（tracking area update）メッセージを送信することができる。
【００３７】
二重接続（ＤＣ；ｄｕａｌ  ｃｏｎｎｅｃｔｉｖｉｔｙ）に対する全体的なアーキテクチャとネットワークインターフェースが説明される。これと関連して、３ＧＰＰ  ＴＲ  ３６．８４２  Ｖ１２．０．０（２０１３-１２）が参照されることができる。Ｅ-ＵＴＲＡＮは、二重接続動作を支援でき、ＲＲＣ＿ＣＯＮＮＥＣＴＥＤにある複数のＲＸ／ＴＸを有したＵＥは、Ｘ２インターフェースを介した非-理想的バックホール（ｎｏｎ-ｉｄｅａｌ  ｂａｃｋｈａｕｌ）を介して接続する二つのｅＮＢに位置する二つの区別されるスケジューラにより提供される無線資源を活用するように構成される。図１に説明された全体的なＥ-ＵＴＲＡＮアーキテクチャは、また二重接続に適用可能である。二つの互いに異なる役割が特定ＵＥに対して二重接続に関与するｅＮＢに仮定されることができる：ｅＮＢは、ＭｅＮＢ（ｍａｓｔｅｒ  ｅＮＢ）またはＳｅＮＢ（ｓｅｃｏｎｄａｒｙ  ｅＮＢ）として動作できる。ＭｅＮＢは、二重接続において少なくともＳ１-ＭＭＥを終端（ｔｅｒｍｉｎａｔｅ）させるｅＮＢである。ＳｅＮＢは、ＵＥに対する付加的な無線資源を提供するが、二重接続においてのＭｅＮＢではないｅＮＢである。二重接続においてＵＥは、一つのＭｅＮＢと一つのＳｅＮＢに接続される。
【００３８】
図６は、二重接続に対する無線プロトコルアーキテクチャを示す。ＤＣにおいて、特定ベアラが使用する無線プロトコルアーキテクチャは、ベアラがどのように設定されるかによる。ＭＣＧ（ｍａｓｔｅｒ  ｃｅｌｌ  ｇｒｏｕｐ）ベアラ、ＳＣＧ（ｓｅｃｏｎｄａｒｙ  ｃｅｌｌ  ｇｒｏｕｐ）ベアラ及び分離ベアラの３通りの代案が存在する。図６を参照すると、このような３通りの代案が、左側から右側へＭＣＧベアラ、分離ベアラ及びＳＣＧベアラの順に示される。ＭＣＧベアラは、二重接続においてＭｅＮＢ資源だけを利用するために、無線プロトコルがＭｅＮＢだけに位置するベアラである。ＳＣＧベアラは、二重接続においてＳｅＮＢ資源を利用するために、無線プロトコルがＳｅＮＢだけに位置するベアラである。分離ベアラは、二重接続においてＭｅＮＢ及びＳｅＮＢ資源を全部利用するために、無線プロトコルがＭｅＮＢ及びＳｅＮＢの全部に位置するベアラである。ＳＲＢ（ｓｉｇｎａｌｉｎｇ  ｒａｄｉｏ  ｂｅａｒｅｒｓ）は、常にＭＣＧベアラに属するので、ＭｅＮＢにより提供される無線資源だけを利用する。ＭＣＧは、ＭｅＮＢと関連したサービングセルのグループであり、二重接続においてＰＣｅｌｌ（ｐｒｉｍａｒｙ  ｃｅｌｌ）と選択的に一つ以上のＳＣｅｌｌ（ｓｅｃｏｎｄａｒｙ  ｃｅｌｌ）を含む。ＳＣＧは、ＳｅＮＢと関連したサービングセルのグループであり、二重接続においてＰＳＣｅｌｌ（ｐｒｉｍａｒｙ  ＳＣｅｌｌ）と選択的に一つ以上のＳＣｅｌｌを含む。ＤＣは、ＳｅＮＢにより提供される無線資源を利用するように構成される少なくとも一つのベアラを有するとまた説明されることができる。
【００３９】
図７は、特定ＵＥに対する二重接続に関与するｅＮＢのＣ-平面接続を示す。二重接続に対するｅＮＢ間制御平面シグナリングは、Ｘ２インターフェースシグナリングにより行われる。ＭＭＥに向かう制御平面シグナリングは、Ｓ１インターフェースシグナリングにより行われる。ＭｅＮＢとＭＭＥとの間にＵＥ毎にただ一つのＳ１-ＭＭＥ接続が存在する。各々のｅＮＢは、ＵＥを独立的に取扱うべきであり、すなわち、一部のＵＥにＰＣｅｌｌを提供することに対し、他のＵＥにＳＣＧに対するＳＣｅｌｌ（ら）を提供する。特定ＵＥに対して二重接続に関与した各々のｅＮＢは、自身の無線資源を所有し、自身のセルの無線資源を割り当てるのを主に担当し、ＭｅＮＢとＳｅＮＢとの間の協力は、Ｘ２インターフェースシグナリングにより提供される。図７を参照すると、ＭｅＮＢは、Ｓ１-ＭＭＥを介してＭＭＥに接続するＣ-平面であり、ＭｅＮＢ及びｔｈｅ  ＳｅＮＢは、Ｘ２-Ｃを介して相互接続される。
【００４０】
図８は、特定ＵＥに対する二重接続に関与するｅＮＢのＵ-平面接続を示す。Ｕ-平面接続は、構成されたベアラオプションによる。ＭＣＧベアラに対して、ＭｅＮＢはＳ１-Ｕを介してＳ-ＧＷにＵ-平面接続され、ＳｅＮＢは、ユーザ平面データの送信に関与しない。分離ベアラに対して、ＭｅＮＢは、Ｓ１-Ｕを介してＳ-ＧＷにＵ-平面接続され、付加的に、ＭｅＮＢとＳｅＮＢとは、Ｘ２-Ｕを介して相互接続される。ＳＣＧベアラに対して、ＳｅＮＢは、Ｓ１-Ｕを介してＳ-ＧＷに直接接続される。但し、ＭＣＧと分離ベアラとが構成されるならば、ＳｅＮＢにおいてＳ１-Ｕ終端が存在しない。
【００４１】
図９は、二重接続に対するＵ-平面アーキテクチャの例示を示す。図９に示す二重接続に対するＵ-平面アーキテクチャは、ＳｅＮＢにおいて終端されるＳ１-Ｕと独立的なＰＤＣＰ（ベアラ分離がない）の組み合わせである。
【００４２】
図１０は、二重接続に対するＵ-平面アーキテクチャの他の例示を示す。図１０に示す二重接続に対するＵ-平面アーキテクチャは、ＭｅＮＢで終端されるＳ１-ＵとＭｅＮＢでのベアラ分離及び分離ベアラに対する独立的なＲＬＣの組み合わせである。
【００４３】
また、対応するＵＥアーキテクチャは新たな特徴を支援するために変更できる。
【００４４】
図１１は、ＤＣ向上のためのＳｅＮＢ付加手順を示す。ＳｅＮＢ付加手順は、ＭｅＮＢにより開始され、ＳｅＮＢからＵＥに無線資源を提供するために、ＳｅＮＢでＵＥコンテキストを確立（ｅｓｔａｂｌｉｓｈ）するために使用される。このような手順は、少なくともＳＣＧの第１のセル（ＰＳＣｅｌｌ）を付加するために使用される。
【００４５】
ステップＳ１００においてＭｅＮＢは、ＳｅＮＢ付加要請メッセージをＳｅＮＢに送信して、Ｅ−ＲＡＢ（Ｅ−ＵＴＲＡＮ  ｒａｄｉｏ  ａｃｃｅｓｓ  ｂｅａｒｅｒ）特性（Ｅ−ＲＡＢパラメータ、ＵＰオプションに対応するＴＮＬ（ｔｒａｎｓｐｏｒｔ  ｌａｙｅｒ  ｎｅｔｗｏｒｋ）住所情報）を指示する、特定Ｅ−ＲＡＢに対する無線資源を割り当てることをＳｅＮＢに要請することと決定する。付加的に、ＭｅＮＢは、ＳＣＧ−ＣｏｎｆｉｇＩｎｆｏ内で（ＳＣＧベアラに対する保安アルゴリズムを含む）ＭＣＧ構成とＳｅＮＢによる再構成のための基底（ｂａｓｉｓ）として使用されるＵＥ能力調整（ＵＥ  ｃａｐａｂｉｌｉｔｙ  ｃｏｏｒｄｉｎａｔｉｏｎ）に対する全体ＵＥ能力を指示するが、ＳＣＧ構成を含まない。ＭｅＮＢは、付加されるように要請されたＳＣＧセル（等）に対して最近の測定結果を提供できる。ＳｅＮＢは、このような要請を拒絶することができる。ＳＣＧベアラと対照的に、分離ベアラオプションに対して、ＭｅＮＢは、それぞれのＥ−ＲＡＢに対するＱｏＳ（ｑｕａｌｉｔｙ  ｏｆ  ｓｅｒｖｉｃｅ）がＭｅＮＢとＳｅＮＢとにより共に提供される資源の正確な合計によって保証されるように、当該資源の量またはそれ以上をＳｅＮＢから要請するように決定することができる。ＭｅＮＢの決定は、ＳｅＮＢにシグナリングされるＥ−ＲＡＢパラメータによって下記のステップＳ１１０で反映されることができ、前記パラメータは、Ｓ１を介して受信されるＥ−ＲＡＢパラメータと相違することができる。ＭｅＮＢは、ＭＣＧベアラ無しで、ＳＣＧまたは分離ベアラの直接設定を要請できる。
【００４６】
ＳｅＮＢの無線資源管理（ＲＲＭ；ｒａｄｉｏ  ｒｅｓｏｕｒｃｅ  ｍａｎａｇｅｍｅｎｔ）エンティティが資源要請を許すことができるならば、ＳｅＮＢは、それぞれの無線資源を割り当て、ベアラオプションに依存して、それぞれの送信ネットワーク資源を割り当てる。ＳｅＮＢは、ＳｅＮＢ無線資源構成の同期化が行われ得るようにランダムアクセスをトリガリングする。ステップＳ１１０においてＳｅＮＢは、ＭｅＮＢにＳｅＮＢ付加要請承認メッセージを送信して、ＳＣＧ−Ｃｏｎｆｉｇ内でＳＣＧの新しい無線資源をＭｅＮＢに提供する。ＳＣＧベアラに対して、それぞれのＥ−ＲＡＢに対するＳ１  ＤＬ  ＴＮＬ住所情報及び保安アルゴリズムとともに、分離ベアラに対して、Ｘ２  ＤＬ  ＴＮＬ住所情報が提供される。分離ベアラの場合に、ユーザ平面データの送信がステップＳ１１０以後に発生し得る。ＳＣＧベアラの場合に、データフォーワーディング及びシーケンスナンバ（ＳＮ；ｓｅｑｕｅｎｃｅ  ｎｕｍｂｅｒ）状態伝達がステップＳ１１０以後に発生し得る。
【００４７】
ＭｅＮＢが新しい構成を承認（ｅｎｄｏｒｓｅ）するならば、ステップＳ１２０においてＭｅＮＢは、ＳＣＧ−Ｃｏｎｆｉｇによって新しい無線資源構成を含むＳＣＧのＲＲＣ連結再構成メッセージ（ＲＲＣＣｏｎｎｅｃｔｉｏｎＲｅｃｏｎｆｉｇｕｒａｔｉｏｎ）をＵＥに送信する。
【００４８】
ステップＳ１３０においてＵＥは、新しい構成を適用し、ＲＲＣ連結再構成完了メッセージ（ＲＲＣＣｏｎｎｅｃｔｉｏｎＲｅｃｏｎｆｉｇｕｒａｔｉｏｎＣｏｍｐｌｅｔｅ）で応答する。ＵＥがＲＲＣ連結再構成メッセージ（ＲＲＣＣｏｎｎｅｃｔｉｏｎＲｅｃｏｎｆｉｇｕｒａｔｉｏｎ）に含まれた構成（の一部）に応じることができない場合に、ＵＥは、再構成失敗手順を行う。
【００４９】
ステップＳ１４０においてＭｅＮＢは、ＳｅＮＢ再構成完了メッセージをＳｅＮＢに送信して、ＳｅＮＢにＵＥが再構成手順を成功的に完了したことを通知する。
【００５０】
ステップＳ１５０においてＵＥは、ＳｅＮＢのＰＳＣｅｌｌに向けてランダムアクセス（ＲＡ；ｒａｎｄｏｍ  ａｃｃｅｓｓ）手順を行う。ＵＥがＲＲＣ連結再構成完了メッセージ（ＲＲＣＣｏｎｎｅｃｔｉｏｎＲｅｃｏｎｆｉｇｕｒａｔｉｏｎＣｏｍｐｌｅｔｅ）を送信し、ＳＣＧに向けてＲＡ手順を行う順序は定義されない。ＲＲＣ連結再構成手順の成功的な完了のために、ＳＣＧに向けた成功的なＲＡ手順が要求されるものではない。
【００５１】
ＳＣＧベアラの場合に、それぞれのＥ−ＲＡＢのベアラ特徴に依存して、ＭｅＮＢは、二重接続の活性化に起因するサービス中断を最小化する措置を取ることができる。すなわち、ステップＳ１６０においてＭｅＮＢは、ＳＮ状態伝達メッセージをＳｅＮＢに送信することができる。ステップＳ１７０においてＭｅＮＢは、ＳｅＮＢに向けてデータフォーワーディングを行うことができる。
【００５２】
次に、ＳＣＧベアラに対して、ＥＰＣに向けた経路アップデート手順が行われる。経路アップデート手順の間に、Ｅ−ＲＡＢ修正指示手順が行われる。Ｅ−ＲＡＢ修正指示手順の目的は、ｅＮＢによって与えられたＵＥに対して既に確立されたＥ−ＲＡＢの修正を要請できるようにすることである。前記手順は、ＵＥ−連関されたシグナリングを使用する。具体的に、ステップＳ１８０においてＭｅＮＢは、１つまたはいくつのＥ−ＲＡＢに対して指示された修正を適用することをＭＭＥに要請するために、Ｅ−ＲＡＢ修正指示メッセージをＭＭＥに送信することができる。ステップＳ１９０においてＭＭＥは、Ｅ−ＲＡＢ修正確認メッセージをＭｅＮＢに送信することができる。
【００５３】
表１は、Ｅ−ＲＡＢ修正指示メッセージの一例を示す。前記メッセージは、ｅＮＢにより送信され、１つまたはいくつのＥ−ＲＡＢに対して指示された修正を適用することをＭＭＥに要請するために使用される。
【００５４】
【表１】
2017530665.tif 000003
【００５５】
表２は、Ｅ−ＲＡＢ修正指示確認メッセージの一例を示す。このようなメッセージは、ＭＭＥにより送信され、Ｅ−ＲＡＢ修正指示メッセージからの要請の結果を報告するために使用される。
【００５６】
【表２】
2017530665.tif 000004
【００５７】
表１を参照すれば、Ｅ−ＲＡＢ修正指示メッセージは、修正されるＥ−ＲＡＢのリストを指示するＥ−ＲＡＢ  ｔｏ  ｂｅ  Ｍｏｄｉｆｉｅｄ  Ｌｉｓｔ情報要素（ＩＥ；ｉｎｆｏｒｍａｔｉｏｎ  ｅｌｅｍｅｎｔ）と、修正されないＥ−ＲＡＢのリストを指示するＥ−ＲＡＢ  ｎｏｔ  ｔｏ  ｂｅ  Ｍｏｄｉｆｉｅｄ  Ｌｉｓｔ  ＩＥとの両方を含む。しかし、特定状況において、ＭｅＮＢが同じＥ−ＲＡＢ  ＩＤを２つ以上含むことが可能である。ただし、Ｅ−ＲＡＢ指示確認メッセージがトリガリングされ得るため、現在までこれに対する解決方案が存在しない。
【００５８】
一部非正常的な状況で発生する前述された問題を解決するために、本発明の一実施形態に係る二重接続に対して重複したＥ−ＲＡＢの報告を取り扱うための方法が提案され得る。本発明の一実施形態によれば、Ｅ−ＲＡＢ修正指示メッセージが同じ値に設定されるいくつのＥ−ＲＡＢ  ＩＤ  ＩＥを含んでいるならば、ＭＭＥは、ＵＥコンテキスト解除手順をトリガリングできる。
【００５９】
図１２は、本発明の一実施形態に係る二重接続に対する重複したＥ−ＲＡＢを取り扱うための方法を示す。図１１に示されたステップＳ１００ないしＳ１７０は、既に行われたと仮定する。すなわち、図１２は、図１１に示されたステップＳ１８０及びＳ１９０に代える、本発明の一実施形態に係る経路アップデート手順のみを単に示す。
【００６０】
ステップＳ２００においてＭｅＮＢは、１つまたはいくつのＥ−ＲＡＢに対して指示された修正を適用することをＭＭＥに要請するために、ＭＭＥにＥ−ＲＡＢ修正指示メッセージを送信する。Ｅ−ＲＡＢ指示修正メッセージは、Ｅ−ＲＡＢ  ｔｏ  ｂｅ  Ｍｏｄｉｆｉｅｄ  Ｌｉｓｔ  ＩＥ及びＥ−ＲＡＢ  ｎｏｔ  ｔｏ  ｂｅ  Ｍｏｄｉｆｉｅｄ  Ｌｉｓｔ  ＩＥの両方を含む。
【００６１】
ステップＳ２１０においてＭＭＥは、Ｅ−ＲＡＢ修正指示メッセージでいくつのＥ−ＲＡＢ  ＩＤが同じ値に設定されたか否かを識別する。
【００６２】
Ｅ−ＲＡＢ修正指示メッセージでいくつのＥ−ＲＡＢ  ＩＤが同じ値に設定されたことと識別されるならば、ステップＳ２２０においてＭＭＥは、Ｅ−ＲＡＢ修正失敗メッセージをＭｅＮＢに送信する。Ｅ−ＲＡＢ修正失敗メッセージは、失敗の理由を表す（ここでは、ＭｅＮＢがいくつのＥ−ＲＡＢ  ＩＤを同じ値に設定したことを意味する）原因値または独立的なＩＥを含むことができる。また、Ｅ−ＲＡＢ指示失敗メッセージは、ＵＥコンテキストを解除するために、ＭｅＮＢに再度指示することができる（ＭｅＮＢが開始するように）。
【００６３】
ステップＳ２３０においてＭＭＥは、原因値としてＳ１  ＵＥコンテキスト解除手順をトリガリングし、その後、ＵＥは、アイドルモードに遷移（ｔｒａｎｓｉｔ）されることができる。原因値としてＳ１  ＵＥコンテキスト解除手順をトリガリングすることは、原因値を含むＵＥコンテキスト解除命令メッセージをＭｅＮＢに送信することを含むことができる。または、ＭＭＥは、原因値を用いてＭＭＥ−開始ディタッチ手順をトリガリングでき、その後、ＵＥは、ディタッチされることができる。
【００６４】
図１３は、本発明の一実施形態に係る二重接続に対する重複したＥ−ＲＡＢを取り扱うための方法の他の例示を示す。図１１に示されたステップＳ１００ないしＳ１７０に対応するＳｅＮＢ付加手順は、既に行われたことと仮定される。すなわち、図１３は、本発明の一実施形態に係る経路アップデート手順のみを図示し、図１１に示されたステップＳ１８０及びＳ１９０に代える。
【００６５】
ステップＳ３００においてＭｅＮＢは、１つまたはいくつのＥ−ＲＡＢに対して指示された修正を適用することをＭＭＥに要請するために、Ｅ−ＲＡＢ修正指示メッセージをＭＭＥに送信する。Ｅ−ＲＡＢ指示修正メッセージは、Ｅ−ＲＡＢ  ｔｏ  ｂｅ  Ｍｏｄｉｆｉｅｄ  Ｌｉｓｔ  ＩＥ及びＥ−ＲＡＢ  ｎｏｔ  ｔｏ  ｂｅ  Ｍｏｄｉｆｉｅｄ  Ｌｉｓｔ  ＩＥの両方を含む。
【００６６】
ステップＳ３１０においてＭＭＥは、Ｅ−ＲＡＢ修正指示メッセージにいくつのＥ−ＲＡＢ  ＩＤが同じ値に設定されたか否かを識別する。その後、ＭＭＥは、原因値としてＳ１  ＵＥコンテキスト解除手順を直接トリガリングし、その後、ＵＥは、アイドルモードに遷移されることができる。原因値としてＳ１  ＵＥコンテキスト解除手順をトリガリングすることは、原因値を含むＵＥコンテキスト解除命令メッセージをＭｅＮＢに送信することを含むことができる。または、ＭＭＥは、原因値を用いてＭＭＥ−開始ディタッチ手順をトリガリングでき、その後、ＵＥは、ディタッチされることができる。
【００６７】
図１４は、本発明の一実施形態に係る二重接続に対する重複したＥ−ＲＡＢを取り扱うための方法の他の例示を示す。
【００６８】
ステップＳ４００においてＭＭＥは、同じ値に設定されたいくつのＥ−ＲＡＢ  ＩＤを含むＥ−ＲＡＢ修正指示メッセージを受信する。Ｅ−ＲＡＢ修正指示メッセージは、二重接続でＭｅＮＢから受信されることができ、ここで、ＵＥは、ＭｅＮＢとＳｅＮＢの両方に連結される。Ｅ−ＲＡＢ修正指示メッセージは、修正されるＥ−ＲＡＢのリストと修正されないＥ−ＲＡＢのリストとの両方を含むことができる。Ｅ−ＲＡＢ修正指示メッセージは、少なくとも１つのＥ−ＲＡＢの修正を適用するようにＭＭＥに要請することができる。
【００６９】
Ｅ−ＲＡＢ修正指示メッセージを受信する際に、ＭＭＥは、いくつのＥ−ＲＡＢ  ＩＤが同じ値に設定されたか否かを識別できる。ステップＳ４１０においてＭＭＥは、ＵＥコンテキスト解除手順をトリガリングする。したがって、Ｅ−ＲＡＢ修正指示メッセージが同じ値に設定されたいくつのＥ−ＲＡＢ  ＩＤを含むならば、ＭＭＥは、原因値としてＵＥコンテキスト解除手順をトリガリングできる。原因値としてＵＥコンテキスト解除手順をトリガリングすることは、原因値を含むＵＥコンテキスト解除命令メッセージを送信することを含むことができる。ＭＭＥは、ＭＭＥ−開始ディタッチ手順を再度トリガリングできる。ＭＭＥは、Ｅ−ＲＡＢ修正失敗メッセージをＭｅＮＢに再度送信することができる。Ｅ−ＲＡＢ修正失敗メッセージは、Ｅ−ＲＡＢ修正失敗の理由を指示する原因値またはＩＥを含むことができる。Ｅ−ＲＡＢ修正失敗メッセージは、ＵＥコンテキストを解除するようにＭｅＮＢに指示することができる。
【００７０】
図１５は、本発明の実施形態が実現される無線通信システムを示す。
【００７１】
ＭＭＥ（８００）は、プロセッサ（ｐｒｏｃｅｓｓｏｒ；８１０）、メモリ（ｍｅｍｏｒｙ；８２０）、及び送受信部（ｔｒａｎｓｃｅｉｖｅｒ；８３０）を備える。プロセッサ８１０は、本明細書において説明された機能、過程、及び／又は方法を実現するように構成されることができる。無線インターフェースプロトコルの階層は、プロセッサ８１０により実現されることができる。メモリ８２０は、プロセッサ８１０と連結されて、プロセッサ８１０を駆動するための様々な情報を格納する。送受信部８３０は、プロセッサ８１０と連結されて、無線信号を送信及び／又は受信する。
【００７２】
二重接続のＭｅＮＢ（９００）は、プロセッサ９１０、メモリ９２０、及び送受信部９３０を備える。プロセッサ９１０は、本明細書において説明された機能、過程、及び／又は方法を実現するように構成されることができる。無線インターフェースプロトコルの階層は、プロセッサ９１０により実現されることができる。メモリ９２０は、プロセッサ９１０と連結されて、プロセッサ９１０を駆動するための様々な情報を格納する。送受信部９３０は、プロセッサ９１０と連結されて、無線信号を送信及び／又は受信する。
【００７３】
プロセッサ８１０、９１０は、ＡＳＩＣ（application-specific integrated circuit）、他のチップセット、論理回路及び／又はデータ処理装置を含むことができる。メモリ８２０、９２０は、ＲＯＭ（read-only memory）、ＲＡＭ（random access memory）、フラッシュメモリ、メモリカード、格納媒体及び／又は他の格納装置を含むことができる。送受信部８３０、９３０は、無線周波数信号を処理するためのベースバンド回路を含むことができる。実施形態がソフトウェアで具現される時、前述した技法は前述した機能を遂行するモジュール（過程、機能など）で具現できる。モジュールはメモリ８２０、９２０に格納され、プロセッサ８１０、９１０により実行できる。メモリ８２０、９２０はプロセッサ８１０、９１０の内部または外部にあることができ、よく知られた多様な手段によりプロセッサ８１０、９１０と連結できる。
【００７４】
前述した例示的なシステムにおいて、前述した本発明の特徴によって具現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
2017530665.tif 000005
【図２】
2017530665.tif 000006
【図３】
2017530665.tif 000007
【図４】
2017530665.tif 000008
【図５】
2017530665.tif 000009
【図６】
2017530665.tif 000010
【図７】
2017530665.tif 000011
【図８】
2017530665.tif 000012
【図９】
2017530665.tif 000013
【図１０】
2017530665.tif 000014
【図１１】
2017530665.tif 000015
【図１２】
2017530665.tif 000016
【図１３】
2017530665.tif 000017
【図１４】
2017530665.tif 000018
【図１５】
2017530665.tif 000019
【国際調査報告】
2017530665.tif 000020
2017530665.tif 000021